(57)【要約】【課題】  溝の広がり角を小さくして、折り曲げ部分の強度の劣化を防ぐことにより破断し難くし、また溝の広がり角を小さくすることにより、プラスチックシートの弾性による戻りを小さくして、折り曲げ角を直角に保持し易くした折り曲げ線入りプラスチックシートおよびその折り曲げ線形成刃を提供する。【解決手段】  プラスチックシート１の折り曲げ部分に、平行して二本の溝２、３を形成し、これら両溝２、３間に角柱部４を形成した折り曲げ線Ｌを入れたものとしている。さらに、前記溝２の内側面２ａと外側面２ｂの間、溝３の内側面３ａと外側面３ｂの間に、それぞれ所定間隔毎に凸部５を設けたものとしている。【選択図】    図３
2006069617.tif 000002
【特許請求の範囲】
【請求項１】
プラスチックシート（１）の折り曲げ部分に、平行して二本の溝（２、３）を形成し、これら両溝（２、３）間に角柱部（４）を形成した折り曲げ線（Ｌ）を入れたことを特徴とする折り曲げ線入りプラスチックシート。
【請求項２】
前記溝（２）の内側面（２ａ）と外側面（２ｂ）の間、溝（３）の内側面（３ａ）と外側面（３ｂ）の間に、それぞれ所定間隔毎に凸部（５）を設けたことを特徴とする請求項１記載の折り曲げ線入りプラスチックシート。
【請求項３】
前記両溝（２、３）の深さ（２ｄ、３ｄ）が、それぞれプラスチックシート（１）の厚さ（１ｔ）の約１／３〜２／３であることを特徴とする請求項１または２記載の折り曲げ線入りプラスチックシート。
【請求項４】
前記角柱部（４）の幅（４ｗ）が、プラスチックシート（１）の厚さ（１ｔ）の約１／３〜２／３であることを特徴とする請求項１〜３の何れかに記載の折り曲げ線入りプラスチックシート。
【請求項５】
前記角柱部（４）の高さ（４ｈ）が、プラスチックシート（１）の厚さ（１ｔ）の約１／３〜２／３であることを特徴とする請求項１〜４の何れかに記載の折り曲げ線入りプラスチックシート。
【請求項６】
刃先（１１）が二本の平行突条（１２、１３）からなり、これら平行突条（１２、１３）のそれぞれの外側面（１２ａ、１３ａ）が刃先（１１）の中心線に対して傾斜しており、前記平行突条（１２、１３）のそれぞれの内側面（１２ｂ、１３ｂ）が刃先（１１）の中心線に対して平行であることを特徴とする折り曲げ線入りプラスチックシートの折り曲げ線形成刃。
【請求項７】
前記外側面（１２ａ、１３ａ）の傾斜角（β）が、４５度以下であることを特徴とする請求項６記載の折り曲げ線入りプラスチックシートの折り曲げ線形成刃。
【発明の詳細な説明】
【技術分野】
【０００１】
この発明は、化粧品、装飾品、小型電化製品等を収納するプラスチックケースを作成するのに適した折り曲げ線入りプラスチックシートおよびその折り曲げ線形成刃に関するものである。
【背景技術】
【０００２】
従来、上記したようなプラスチックケースを作成するには、プラスチックシートを折り曲げて作成するが、そのプラスチックシートを折り曲げ易くするために、折り曲げ部分に折り曲げ線を入れることが一般に行われている。
【０００３】
前記プラスチックシートは、例えば図８、９に示したように、折り曲げ線２１を形成する溝２２の底部に、その長さ方向に沿って凹凸２３を形成したものとしている。そして、前記溝２２は、両側面２２ａ、２２ａをプラスチックシート２４の垂線ｐに対してそれぞれ約３５度の角度で傾斜させたものとし、溝２２の広がり角γを約７０度にしている（特許文献１）。
【０００４】
このような折り曲げ線入りプラスチックシートは、溝２２の浅い部分で強度を保ち、溝２２の深い部分で柔軟性を発揮することにより、折り曲げのときに破れ難く、しかも折り曲げにより生ずる歪みや弾性力が小さくなるので、折り曲げ角度が正確になり、プラスチックケース組み立て後の平面性が良好となるという効果を有している。
【特許文献１】実公平４−９３４５号公報（第１、２頁、第１図）
【発明の開示】
【発明が解決しようとする課題】
【０００５】
しかしながら、上記従来の折り曲げ線入りプラスチックシートは、プラスチックケースを作成するために、図１０に示したように、直角に折り曲げたときには溝２２の広がり角γが約１６０度となって非常に大きくなるため、折り曲げ部分の強度が劣化して破断し易くなったり、またそのためプラスチックシートの弾性による戻りが大きくなり、折り曲げ角を直角に保持し難いという問題点を有していた。
【０００６】
そこで、この発明は、上記従来の問題点を解決するものであり、溝の広がり角を小さくして、折り曲げ部分の強度の劣化を防ぐことにより破断し難くし、また溝の広がり角を小さくすることにより、プラスチックシートの弾性による戻りを小さくして、折り曲げ角を直角に保持し易くした折り曲げ線入りプラスチックシートおよびその折り曲げ線形成刃を提供することを目的としてなされたものである。
【課題を解決するための手段】
【０００７】
そのため、この発明の折り曲げ線入りプラスチックシートは、プラスチックシート１の折り曲げ部分に、平行して二本の溝２、３を形成し、これら両溝２、３間に角柱部４を形成した折り曲げ線Ｌを入れたものとしている。
【０００８】
さらに、この発明の折り曲げ線入りプラスチックシートは、前記溝２の内側面２ａと外側面２ｂの間、溝３の内側面３ａと外側面３ｂの間に、それぞれ所定間隔毎に凸部５を設けたものとしている。
【０００９】
また、この発明の折り曲げ線入りプラスチックシートは、前記両溝２、３の深さ２ｄ、３ｄを、それぞれプラスチックシート１の厚さ１ｔの約１／３〜２／３にしている。
【００１０】
さらにまた、この発明の折り曲げ線入りプラスチックシートは、前記角柱部４の幅４ｗを、プラスチックシート１の厚さ１ｔの約１／３〜２／３にしたり、前記角柱部４の高さ４ｈを、プラスチックシート１の厚さ１ｔの約１／３〜２／３にしている。
【００１１】
そして、この発明の折り曲げ線形成刃は、刃先１１が二本の平行突条１２、１３からなり、これら平行突条１２、１３のそれぞれの外側面１２ａ、１３ａが刃先１１の中心線に対して傾斜しており、前記平行突条１２、１３のそれぞれの内側面１２ｂ、１３ｂが刃先１１の中心線に対して平行であるものとしている。
【００１２】
さらに、この発明の折り曲げ線形成刃は、前記外側面１２ａ、１３ａの傾斜角βを、４５度以下であるものにとしている。
【発明の効果】
【００１３】
この発明の折り曲げ線入りプラスチックシートは、以上に述べたように構成されているので、溝の広がり角が小さくなり、折り曲げ部分の強度の劣化が防がれ破断し難くなり、また溝の広がり角が小さくなったので、プラスチックシートの弾性による戻りが小さくなり、折り曲げ角を直角に保持し易いものとなる。
【００１４】
さらに、この発明の折り曲げ線形成刃は、この発明の折り曲げ線入りプラスチックシートを製造するのに非常に適したものとなる。
【発明を実施するための最良の形態】
【００１５】
以下、この発明の折り曲げ線入りプラスチックシートおよびその折り曲げ線形成刃の実施の形態を、図面に基づいて詳細に説明する。
【００１６】
図１は、この発明の折り曲げ線入りプラスチックシートでプラスチックケースを作成する場合に、その折り曲げ部分に折り曲げ線Ｌを入れた状態を示している。
【００１７】
前記折り曲げ線Ｌは、プラスチックシート１の折り曲げ部分に、図２、３に示したように、平行して二本の溝２、３を形成し、これら両溝２、３間に角柱部４を形成したものとしている。
【００１８】
前記両溝２、３は、内側面２ａ、３ａをプラスチックシート１の垂線ｐに対して平行になるようにしており、外側面２ｂ、３ｂをプラスチックシート１の垂線ｐに対して４５度以下の角度で傾斜させたものとしている。このようにすると、両溝２、３の広がり角αは４５度以下（図示したものでは、広がり角αを２０度にしている）の鋭利な角度となって、プラスチックシート１を折り曲げ線Ｌに沿って折り曲げるときに、シャープな折り曲げができる。
【００１９】
そして、前記溝２の内側面２ａと外側面２ｂの間、溝３の内側面３ａと外側面３ｂの間には、それぞれ所定間隔毎に凸部５を設けたものとしている。この凸部５は、図示したものでは、プラスチックシート１の平面１ａと面一になるようにしているが、プラスチックシート１の平面１ａより低くして両溝２、３内に設けたものとしてもよい。また、この凸部５の長さ５ｉは、プラスチックシート１の厚さ１ｔの１〜２倍程度にしており、この凸部５の間隔５ｓは、凸部５の長さ５ｉの４〜８倍程度にしている。図示したものでは、プラスチックシート１の厚さ１ｔを０．３ｍｍにし、凸部５の長さ５ｉを０．３ｍｍにし、凸部５の間隔５ｓを１．２ｍｍにしている。
【００２０】
さらに、前記両溝２、３の深さ２ｄ、３ｄを、それぞれプラスチックシート１の厚さ１ｔの約１／３〜２／３にしている。図示したものでは、プラスチックシート１の厚さ１ｔを０．３ｍｍにしているため、両溝２、３の深さ２ｄ、３ｄを０．２ｍｍにしている。
【００２１】
また、前記角柱部４の幅４ｗは、プラスチックシート１の厚さの約１／３〜２／３にし、前記角柱部４の高さ４ｈは、プラスチックシート１の厚さの約１／３〜２／３にしている。図示したものでは、プラスチックシート１の厚さ１ｔを０．３ｍｍにしているため、角柱部４の幅４ｗおよび高さ４ｈを、それぞれ０．２ｍｍにしている。
【００２２】
図４、５は、この発明の折り曲げ線入りプラスチックシートの折り曲げ線形成刃の一実施形態を示している。
【００２３】
前記折り曲げ線形成刃は、刃先１１が二本の平行突条１２、１３からなり、これら平行突条１２、１３のそれぞれの外側面１２ａ、１３ａが刃先１１の中心線ｏに対して傾斜しているものとしており、前記平行突条１２、１３のそれぞれの内側面１２ｂ、１３ｂが刃先１１の中心線ｏに対して平行であるものとしている。
【００２４】
前記刃先１１は、一体的な二本の平行突条１２、１３であってもよいが、図示したように、三枚の刃先部１１ａ、１１ｂ、１１ｃを重ね合わせて二本の平行突条１２、１３を形成したものとしている。二本の平行突条１２、１３どうしの隙間Ｓは、角柱部４の幅４ｗがプラスチックシート１の厚さの約１／３〜２／３になるようにするため、このプラスチックシート１の厚さの約１／３〜２／３になるようにしている。図示したものでは、プラスチックシート１の厚さ１ｔを０．３ｍｍにしているため、前記二本の平行突条１２、１３どうしの隙間Ｓを０．２ｍｍにしている。
【００２５】
前記外側面１２ａ、１３ａは、その傾斜角βを４５度以下であるものにしている（図示したものでは、傾斜角βを２０度にしている）。このようにすると、プラスチックシート１に形成される折り曲げ線Ｌの溝２、３は鋭利なものとなり、この折り曲げ線Ｌに沿ってプラスチックシート１を折り曲げるときに、前記したようにシャープな折り曲げができる。
【００２６】
さらに、前記刃先１１の長さ方向に所定間隔をおいて凹部１４を設けたものとしている。この凹部１４は、図示したものでは、平行突条１２、１３をそれぞれ断続的に切り欠くようにしている。また、この凹部１４の長さ１４ｉは、プラスチックシート１の厚さ１ｔの１〜２倍程度にしており、凹部１４の間隔１４ｓは、凹部１４の長さ１４ｉの４〜８倍程度にしている。図示したものでは、プラスチックシート１の厚さ１ｔを０．３ｍｍにしているため、凹部１４の長さ１４ｉを０．３ｍｍにし、凹部１４の間隔１４ｓを１．２ｍｍにしている。
【００２７】
そこで、以上のように構成されたこの発明の折り曲げ線入りプラスチックシートで、プラスチックケースを作成するときには、図７に示したように、その折り曲げ線Ｌに沿ってプラスチックシート１を直角に折り曲げる。この場合、プラスチックシート１は、折り曲げ部分に、平行して二本の溝２、３を形成しているので、これら溝２、３がそれぞれ４５度広がれば、プラスチックシート１が直角に折り曲げられることになる。すなわち、図示した溝２、３の広がり角αは２０度としているので、それぞれの溝２、３の広がり角αが６５度になれば、プラスチックシート１が直角に折り曲げられることになる。
【００２８】
ところが、従来の折り曲げ線入りプラスチックシートでは、図８、９に示したように、その折り曲げ部分に、一本の溝２２しか形成されていないので、その溝２２が９０度広がらないと、プラスチックシート１が直角に折り曲げられないことになる。すなわち、図示した溝２２の広がり角γは７０度としているので、溝２２の広がり角γが１６０度になれば、プラスチックシート１が直角に折り曲げられることになる。
【００２９】
したがって、この発明の折り曲げ線入りプラスチックシートは、溝２、３の広がり角が小さくなり、折り曲げ部分の強度の劣化が防がれるので破断し難くなり、また溝２、３の広がり角が小さいので、プラスチックシートの弾性による戻りが小さくなり、折り曲げ角を直角に保持し易いものとなる。
【図面の簡単な説明】
【００３０】
【図１】この発明の折り曲げ線入りプラスチックシートの一実施形態を示す展開図である。
【図２】図１に示す折り曲げ線入りプラスチックシートの部分拡大斜視図である。
【図３】図２に示す折り曲げ線入りプラスチックシートの折り曲げ部分の拡大斜視図である。
【図４】この発明の折り曲げ線入りプラスチックシートの折り曲げ線形成刃の一実施形態を示す部分拡大斜視図である。
【図５】図４に示す折り曲げ線形成刃の刃先の拡大斜視図である。
【図６】この発明の折り曲げ線入りプラスチックシートに折り曲げ線形成刃で折り曲げ線を形成する状態を示す説明図である。
【図７】この発明の折り曲げ線入りプラスチックシートの折り曲げ部分を直角に折り曲げた状態を示す説明図である。
【図８】従来の折り曲げ線入りプラスチックシートの折り曲げ部分の拡大斜視図である。
【図９】従来の折り曲げ線入りプラスチックシートの折り曲げ部分の拡大断面図である。
【図１０】従来の折り曲げ線入りプラスチックシートの折り曲げ部分を直角に折り曲げた状態を示す説明図である。
【符号の説明】
【００３１】
１  プラスチックシート
１ｔ  厚さ
２  溝
２ａ  内側面
２ｂ  外側面
２ｄ  深さ
３  溝
３ａ  内側面
３ｂ  外側面
３ｄ  深さ
４  角柱部
４ｈ  高さ
４ｗ  幅
５  凸部
１１  刃先
１２  平行突条
１２ａ  外側面
１２ｂ  内側面
１３  平行突条
１３ａ  外側面
１３ｂ  内側面
Ｌ  折り曲げ線
β  傾斜角
【図１】
2006069617.tif 000003
【図２】
2006069617.tif 000004
【図３】
2006069617.tif 000005
【図４】
2006069617.tif 000006
【図５】
2006069617.tif 000007
【図６】
2006069617.tif 000008
【図７】
2006069617.tif 000009
【図８】
2006069617.tif 000010
【図９】
2006069617.tif 000011
【図１０】
2006069617.tif 000012